(57)【要約】【課題】温度により湾曲状態を反転するディスク状の湾曲したバイメタルにより電気的開閉機構を開閉するようにしたサーモスイッチにおいて、前記バイメタルの振動による絶縁ケースの削り紛による接点間の接触不良を防止する。【解決手段】前記サーモスイッチにおけるバイメタルの外周縁付近に、このバイメタルをケース底壁へ押し付ける方向の弾性力付与された押付片を設け、この押付片によりバイメタルを押圧することによりバイメタルの振動を防止する。【選択図】        図２
2005026044.tif 000002
【特許請求の範囲】
【請求項１】
絶縁ケース内に収められた固定接点を有する固定接触子と前記固定接点に対向する可動接点を固定接点に対して開閉可能に支持する可動接触子とにより電気的開閉機構を構成し、前記可動接触子に対向して温度により湾曲状態を反転するディスク状の湾曲したバイメタルを配置し、このバイメタルによりその湾曲状態の反転動作に応じて前記可動接触子を駆動し、前記電気的開閉機構の開閉を行なうようにしたサーモスイッチにおいて、前記バイメタルの外周縁付近に、このバイメタルをケース底壁へ押し付ける方向の弾性力付与された押付片を設け、この押付片によりバイメタルを押圧することを特徴とするサーモスイッチ。
【請求項２】
前記押付片を、前記可動接触子の一部を切り起して形成したことを特徴とする請求項１記載のサーモスイッチ。
【発明の詳細な説明】
【０００１】
【発明の属する技術分野】
この発明は、温度により湾曲状態を反転するディスク状の湾曲したバイメタルにより電気的開閉機構を開閉するようにしたサーモスイッチに関する。
【０００２】
【従来の技術】
特許文献１に開示されるている従来のサーモスイッチの構成を図３に示す。
【０００３】
この図３において、５はサーモスイッチ、５１は、その絶縁ケースである。この絶縁ケース５１から２つの端子導体５２、５３が引き出され、その一方の端子導体５２は、その一端に固定接点５４が固着され、固定接触子を兼ねている。５５は、弾性を有する導電材で形成された可動接触子であり、その一端側は端子導体５３に固定的に結合され、固定接点５４と対向する可動接点５６を固着した他端側は、自由に可動できる状態となっている。前記の固定接触子と可動接触子により電気的開閉機構を構成する。５７は、温度により湾曲状態を反転するディスク状の湾曲したバイメタルであり、可動接触子５５と対向する絶縁ケース５１の底壁上に形成された凹所５８内に収容されている。
【０００４】
このように構成されたサーモスイッチ５は、バイメタル５７の温度が設定された温度より低い状態にあるときは、図３（ａ）に示すように、バイメタル５７は、上向の凸状を示し、可動接触子５５から離間しているため、可動接触子５５は、その弾性力により可動接点５６を固定接点５４に所定の圧力で接合する位置にあり、２つの端子導体５２、５３間を電気的に接続する。
【０００５】
そして、バイメタル５７の温度が設定温度以上になると、バイメタル５７が湾曲状態を反転し、図３（ｂ）に示すように、下向きの凸状を示すようになる。これにより、バイメタルの下面が、絶縁ケース１の凹所５８内の突起５９により支えられて、周縁部が可動接触子５５に接触してこれを押し上げるため、可動接点５６が固定接点５４から開離し、２つの端子導体５２、５３間の電気的接続を遮断する。
【０００６】
温度が設定温度以下に戻ると、バイメタル５７が再び湾曲状態が反転して、図３（ａ）に示すように下向きの凸状に戻り、可動接触子５５から離れるため、可動接触子５５がその弾性力により復帰し、可動接点５６を固定接点５４に接合する位置に戻り、端子導体５２、５３間の電気的接続を接続状態に戻す。
【０００７】
このようにサーモスイッチ５は、温度に応じて湾曲したバイメタル５５が湾曲状態を反転することにより可動接触子５５を駆動して、可動接点５６と固定接点５４との接合状態を開閉し、端子導体５２、５３間に接続された電気回路の開閉を行なうので、電気ヒータの過熱保護等に使用することができる。
【０００８】
【特許文献１】
特開２００３−１０９５８０号公報（第２−３頁、図１８）
【０００９】
【発明が解決しようとする課題】
前記した従来のサーモスイッチおいては、湾曲したバイメタル５７が上向の凸状に湾曲し、可動接触子５５が可動接点５６を固定接点５４に接合させる位置にあるときは、このバイメタル５７は、可動接触子５５と接触せず、これから離間しているため、何にも拘束されない自由な状態におかれる。
【００１０】
このため、このサーモスイッチを振動の多い場所で使用した場合、バイメタル５７がケース５１内で振動しながら、絶縁ケース５１の凹所５８の周壁面に接触する状態が多くなる。この結果、比較的柔らかい合成樹脂で構成された絶縁ケース５１の凹所５８の周壁面がバイメタル５７の周縁で削られ、細かい樹脂紛が発生し、これが固定接点５４と可動接点５６の表面に付着することにより開閉接点部が接触不良を起こす不都合がある。
【００１１】
この発明は、このような不都合を解消するため、サーモスイッチが振動を受けても、開閉接点部に接触不良が発生することを防止することのできるサーモスイッチを提供することを目的とする。
【００１２】
【課題を解決するための手段】
前記の目的を達成するため、この発明は、絶縁ケース内に収められた固定接点を有する固定接触子と前記固定接点に対向する可動接点を固定接点に対して開閉可能に支持する可動接触子とにより電気的開閉機構を構成し、前記可動接触子に対向して温度により湾曲状態を反転するディスク状の湾曲したバイメタルを配置し、このバイメタルによりその湾曲状態の反転動作に応じて前記可動接触子を駆動し、前記電気的開閉機構の開閉を行なうようにしたサーモスイッチにおいて、前記バイメタルの外周縁付近に、このバイメタルをケース底壁へ押し付ける方向の弾性力付与された押付片を設け、この押付片によりバイメタルを押圧することを特徴とする。
【００１３】
この発明においては、前記押付片は、前記可動接触子の一部を切り起こして形成することができる。
【００１４】
このように、バイメタルを押付片によりケース底壁に押し付けるようにすることにより、バイメタルと可動接触子とが接触しない状態においてもバイメタルをケース底壁に押し付けることができるので、外部から振動が加わってもバイメタルが振動することがなくなる。このため、バイメタルの振動による樹脂紛の発生がなくなり、開閉接点部分に接触不良が起きるのを防止できる。
【００１５】
【発明の実施の形態】
この発明の実施の形態を図に示す実施例に基づいて説明する。
【００１６】
図１は、この発明の実施例を示す平面図である。この図において、１は、サーモスイッチ、１１は合成樹脂で形成された絶縁ケース、１２はリベット２１によりこの絶縁ケース１１に固着された固定接触子を兼ねた一方の端子導体、１３はリベット２２により絶縁ケースに固着された他方の端子導体、１５は基端部をリベット２３により図２に示すように端子導体１３および絶縁ケース１１に固着された弾性を有する導電材で形成された可動接触子、１７はこの可動接触子１５の下方にこれと対向して配置された温度よって湾曲状態を反転するディスク状の湾曲したバイメタルである。
【００１７】
図２の断面図から明らかであるが、固定接触子１２の一端部には、固定接点１４が固着され、可動接触子１５のこの固定接点１４と対向する側の先端部に可動接点１６が固着されている。そして、バイメタル１７はケース１１の底壁上に形成された凹所１８内に収容されている。
【００１８】
ここまでの構成は、従来のサーモスイッチと同じである。この発明にしたがって、押付片１０が設けられている。この押付片１０は、可動接触子１５の一部を切り起こして形成されているので、これと同様に弾性を有し、可動接触子１５とバイメタル１７の間に配置される。押付片１０の一端は可動接触子の基端部とともに固定され、他端はバイメタル１７の外周付近の上面に当接される。このため、押付片１０が、その弾性力によりバイメタル１７を下方に押圧し、凹所１８内において湾曲したバイメタル１７の外周縁をケース１１の底壁面に押し付ける（図２（ａ）参照）。
【００１９】
このようなサーモスイッチ１において、温度が設定温度以下にあるときは、バイメタル１７は、図２（ａ）に示すように、上向きの凸状に湾曲している。この状態において、バイメタル１７は、上面の外周縁付近を押付片１０の先端により押下されるので、その外周縁を絶縁ケース１１の凹所１８の底壁面に押し付けられ、可動接触子１５から離間している。したがって、可動接触子１５の先端の可動接点１６が可動接触子１５の弾性力により固定接点１４に押し付けられ接触され、端子導体１２、１３間の電気的接続が閉じられる。
【００２０】
この状態では、バイメタル１７が押付片１０の弾性力により底壁面に押し付けられるので、外部から多少の振動が加わっても、バイメタル１７は、移動せずこの位置に固定される。
【００２１】
温度が設定温度を超えると、バイメタル１７が湾曲状態を反転し、下向きに凸状を示すようになる。これにより、図２（ｂ）に示すように、バイメタル１７がその中心部を凹所８の底壁上の突起１９で支えられて外周縁で可動接触子１７の先端側を押し上げるため、可動接点１６が固定接点１４から開離され、端子導体１２，１３間の電気的接続を開く。この状態では、バイメタル１７は、可動接触子１５と突起１９とにより挟持されるかたちとなるため、ここで外部から振動が加わっても、バイメタル１７は振動せず固定されている。
【００２２】
したがって、この発明によれば、バイメタル１７を常に絶縁ケースまたは可動接触子に押し付けてこれを無拘束の自由な状態におくことがないので、振動を受けても、バイメタルが振動するのを防止することができるので、このバイメタルにより絶縁ケースが削られることがなく、樹脂紛の発生が防止される。
【００２３】
上記の実施例においては、押付片１０を、可動接触子１５の一部を切り起こして形成しているが、これは、可動接触子とは別体で構成するようにしてもよい。そして、この押付片１０によってバイメタル１７へ加える押圧力は、バイメタル１７が湾曲状態を反転して可動接触子１５を押し上げる動作に支障がないような値に選ばれる。
【００２４】
【発明の効果】
この発明によれば、このように、バイメタル１７が上向の凸状に湾曲して可動接触子１５から離れている状態でも、押付片１０により押圧されて凹所１８の底壁面に押し付けられて固定されるようになるため、外部から振動が加わってもこれが振動することがなくなる。したがって、絶縁ケース１１がバイメタルの振動によって削られることがなく、樹脂紛の発生がなくなるので、固定接点１４と可動接点１６間に接触不良の発生することのない信頼性の高いサーモスイッチを得ることができる。
【図面の簡単な説明】
【図１】この発明の実施例を示す平面図。
【図２】（ａ）および（ｂ）は、この発明の実施例のそれぞれ異なる動作状態を示す、図１のＡ−Ａ線の縦断面図。
【図３】（ａ）および（ｂ）は、従来のサーモスイッチのそれぞれ異なる動作状態を示す縦断面図。
【符号の説明】
１  ：サーモスイッチ
１０：弾性片
１１：絶縁ケース
１２、１３：端子導体
１４：固定接点
１５：可動接触子
１６：可動接点
１７：ディスク状バイメタル
【図１】
2005026044.tif 000003
【図２】
2005026044.tif 000004
【図３】
2005026044.tif 000005